(57)【要約】【課題】コピーガードが施されたディスクの再生時に音質を向上する。【解決手段】コピーガード判別部は、ディジタル音楽データの読み出し状態に基づいてコピーガードが施された光ディスクであるか否かを判別し（ステップＳ２）、音質補正部は、光ディスクがコピーガードが施された光ディスクである場合に、音楽信号の音質補正を行う（ステップＳ２）。【選択図】図２
2007272983.tif 000002
【特許請求の範囲】
【請求項１】
光ディスクに記録されたディジタル音楽データを読み出して音楽信号として再生するディスク再生装置において、
前記ディジタル音楽データの読み出し状態に基づいてコピーガードが施された光ディスクであるか否かを判別するコピーガード判別部と、
前記光ディスクがコピーガードが施された光ディスクである場合に、前記音楽信号の音質補正を行う音質補正部と、
を備えたことを特徴とするディスク再生装置。
【請求項２】
請求項１記載のディスク再生装置において、
前記コピーガード判別部の判別結果に基づいて、前記光ディスクがコピーガードが施された光ディスクである場合に、前記光ディスクから再生した源アナログ音声出力信号の出力先を前記音質補正部とする切替部を備えたことを特徴とするディスク再生装置。
【請求項３】
請求項１記載のディスク再生装置において、
前記コピーガード判別部の判別結果に基づいて、前記光ディスクがコピーガードが施された光ディスクである場合にその旨をユーザに告知する告知部と、
前記光ディスクから再生した源アナログ音声出力信号の出力先を前記音質補正部とすべくユーザがマニュアルで操作するマニュアル切替部と、
を備えたことを特徴とするディスク再生装置。
【請求項４】
請求項１ないし請求項３のいずれかに記載のディスク再生装置において、
前記音質補正部は、イコライザ回路、ＡＤＦ（Anti Distortion Filter）回路、あるいは、ディジタル信号処理回路をアナログ音声出力信号に対応するディジタルデータが通過する際に発生する高調波成分の乱れを補正する高調波成分乱れ回路のうちいずれかを備えていることを特徴とするディスク再生装置。
【請求項５】
請求項１ないし請求項４のいずれかに記載のディスク再生装置において、
前記光ディスクから読み出した前記ディジタル音楽データのエラー訂正を行うエラー訂正部を備え、
前記コピーガード判別部は、前記エラー訂正部におけるエラー訂正状態に基づいてコピーガードが施された光ディスクであるか否かを判別することを特徴とするディスク再生装置。
【請求項６】
音質補正回路を有し、光ディスクに記録されたディジタル音楽データを読み出して音楽信号として再生するディスク再生装置において、
前記ディジタル音楽データの読み出し状態に基づいてコピーガードが施された光ディスクであるか否かを判別するコピーガード判別過程と、
前記光ディスクがコピーガードが施された光ディスクである場合に、前記音質補正回路により前記音楽信号の音質補正を行う音質補正過程と、
を備えたことを特徴とするディスク再生装置の制御方法。
【請求項７】
音質補正回路を有し、光ディスクに記録されたディジタル音楽データを読み出して音楽信号として再生するディスク再生装置をコンピュータにより制御するための制御プログラムにおいて、
前記ディジタル音楽データの読み出し状態に基づいてコピーガードが施された光ディスクであるか否かを判別させ、
前記光ディスクがコピーガードが施された光ディスクである場合に、前記音質補正回路により前記音楽信号の音質補正を行わせる、
を備えたことを特徴とする制御プログラム。
【発明の詳細な説明】
【技術分野】
【０００１】
本発明は、ディスク再生装置、ディスク再生装置の制御方法および制御プログラムに係り、特に不正コピーを防止するために人為的にデータエラーを書き込んだディスクを再生することが可能なディスク再生装置、ディスク再生装置の制御方法および制御プログラムに関する。
【背景技術】
【０００２】
従来より、ＣＤ（Compact Disc）においては、不正コピーを防止するためにいわゆるコピーガードが施されたものが知られている（例えば、特許文献１参照）。
このコピーガードの一手法として、パーソナルコンピュータなどのデータエラー許容度の低い装置では、データの読み取りを実効的に行えなくして、再生を禁止し、ＣＤプレーヤなどのデータエラー許容度の高い装置では、再生を許可するコピーガードＣＤがある。
このようなコピーガードＣＤにおいては、パーソナルコンピュータなどのデータエラー許容度の低い装置でデータの読み取りを実効的に行えなくするために、記録データ間に細かいエラー領域を全体的に形成している。
【０００３】
この結果、パーソナルコンピュータにおいては、エラー訂正が必要十分に行えないことから、データが読み出せず、ディジタル的なコピーが行えなくなっている。
これに対し、ＣＤプレーヤ（パーソナルコンピュータをソフトウェア的にＣＤプレーヤとして機能する場合も含む。）においては、完全にアナログ波形を再現する必要はないため、その範囲で、エラー訂正が必要十分に行え、再生ができるようになっている。
【特許文献１】特開２００１−３５７５３３号公報
【発明の開示】
【発明が解決しようとする課題】
【０００４】
上記従来のコピーガードが施されたＣＤは、上述したように、ディスク全体にエラー領域が形成されているため、音質が劣化してしまうという問題点があった。
具体的には、同一の音楽データを記録した場合、コピーガードを施したＣＤは、コピーガードを施していない通常のＣＤと比較して、低周波数帯域および高周波数帯域のそれぞれで周波数特性が数ｄＢ程度劣化してしまう。
そこで、本発明の目的は、コピーガードが施されたディスクの再生時に音質を向上することが可能なディスク再生装置、ディスク再生装置の制御方法および制御プログラムに関する。
【課題を解決するための手段】
【０００５】
上記課題を解決するため、光ディスクに記録されたディジタル音楽データを読み出して音楽信号として再生するディスク再生装置において、前記ディジタル音楽データの読み出し状態に基づいてコピーガードが施された光ディスクであるか否かを判別するコピーガード判別部と、前記光ディスクがコピーガードが施された光ディスクである場合に、前記音楽信号の音質補正を行う音質補正部と、を備えたことを特徴としている。
上記構成によれば、コピーガード判別部は、ディジタル音楽データの読み出し状態に基づいてコピーガードが施された光ディスクであるか否かを判別し、音質補正部は、光ディスクがコピーガードが施された光ディスクである場合に、音楽信号の音質補正を行う。
【０００６】
この場合において、前記コピーガード判別部の判別結果に基づいて、前記光ディスクがコピーガードが施された光ディスクである場合に、前記光ディスクから再生した源アナログ音声出力信号の出力先を前記音質補正部とする切替部を備えるようにしてもよい。
また、前記コピーガード判別部の判別結果に基づいて、前記光ディスクがコピーガードが施された光ディスクである場合にその旨をユーザに告知する告知部と、前記光ディスクから再生した源アナログ音声出力信号の出力先を前記音質補正部とすべくユーザがマニュアルで操作するマニュアル切替部と、を備えるようにしてもよい。
【０００７】
さらに、前記音質補正部は、イコライザ回路、ＡＤＦ（Anti Distortion Filter）回路、あるいは、ディジタル信号処理回路をアナログ音声出力信号に対応するディジタルデータが通過する際に発生する高調波成分の乱れを補正する高調波成分乱れ回路のうちいずれかを備えているようにしてもよい。
さらにまた、前記光ディスクから読み出した前記ディジタル音楽データのエラー訂正を行うエラー訂正部を備え、前記コピーガード判別部は、前記エラー訂正部におけるエラー訂正状態に基づいてコピーガードが施された光ディスクであるか否かを判別するようにしてもよい。
【０００８】
また、音質補正回路を有し、光ディスクに記録されたディジタル音楽データを読み出して音楽信号として再生するディスク再生装置において、前記ディジタル音楽データの読み出し状態に基づいてコピーガードが施された光ディスクであるか否かを判別するコピーガード判別過程と、前記光ディスクがコピーガードが施された光ディスクである場合に、前記音質補正回路により前記音楽信号の音質補正を行う音質補正過程と、を備えたことを特徴としている。
【０００９】
また、音質補正回路を有し、光ディスクに記録されたディジタル音楽データを読み出して音楽信号として再生するディスク再生装置をコンピュータにより制御するための制御プログラムにおいて、前記ディジタル音楽データの読み出し状態に基づいてコピーガードが施された光ディスクであるか否かを判別させ、前記光ディスクがコピーガードが施された光ディスクである場合に、前記音質補正回路により前記音楽信号の音質補正を行わせる、を備えたことを特徴としている。
【発明の効果】
【００１０】
本発明によれば、再生対象がコピーガードが施された光ディスクである場合に、出力する音楽信号の音質補正を行うので、コピーガードが施されたディスクの再生時に音質を向上することができる。
【発明を実施するための最良の形態】
【００１１】
次に、図面を参照して本発明の好適な実施形態について説明する。
［１］第１実施形態
図１は、第１実施形態のディスク再生装置の概要構成ブロック図である。
ディスク再生装置１０は、ＣＤ等のディスク型記録媒体（以下、光ディスク２０と言う）を再生する車載型ディスク再生装置であり、このディスク再生装置１０は、液晶表示装置を備える表示部１２やユーザが各種操作を行う操作部１３を有し、操作部１３を介して入力されたユーザの指示にしたがってディスク再生装置１０に挿入された光ディスク２０を再生し、この光ディスク２０に記録された音声を車両スピーカ（図示せず）から報音させるものである。
【００１２】
光ディスク２０は、図示を省略したローディング機構によってディスク再生装置１０内にローディングされ、ターンテーブル１４にクランプされる。このターンテーブル１４は、後述するコントローラ１９の制御下で駆動部１５によって回転駆動され、これによって、光ディスク２０が回転駆動される。
このターンテーブル１４の近傍には、光ピックアップ３０が配置され、この光ピックアップ３０は、光ディスク２０の情報記録面に向けてレーザ光を照射するレーザーダイオードと、このレーザ光の反射光を受光する受光素子と、この照射光及び反射光を集光するための対物レンズ等の光学系とを備え、レーザ光の反射光の受光レベルを示すＲＦ信号や、トラッキングエラー信号や、フォーカスエラー信号を出力する。
【００１３】
また、この光ピックアップ３０は、光ディスク２０の径方向に移動自在に支持され、コントローラ１９の制御の下、駆動部１５によって光ディスク２０の径方向の位置が制御（トラッキング制御を含む）されるとともに、対物レンズのフォーカス制御が行われる。なお、この光ピックアップ３０の構成は、従来のものと同様である。
再生部１８は、光ピックアップ３０から出力されるＲＦ信号から光ディスク２０に記憶された情報を再生し、アナログ音声出力信号として出力する。このアナログ音声出力信号は、図示しないアンプなどを介して増幅され、図示しないスピーカから音として出力される。
【００１４】
この再生部１８は、光ピックアップ３０から出力されるＲＦ信号に基づいてディジタルデータに変換する図示しないデコーダと、得られたディジタルデータのエラー訂正を行うエラー訂正回路１８Ａと、エラー訂正後のディジタルデータのディジタル／アナログ変換を行うＤ／Ａコンバータと、得られたアナログ音声出力信号の音質補正を行う音質補正回路１８Ｂと、を備えている。
ここで、エラー訂正回路１８Ａは、エラー訂正を行った回数などの処理状況を生成し、コントローラ１９に通知する。
【００１５】
また、音質補正回路１８Ｂは、例えば、所望の周波数帯域の周波数特性を改善するイコライザ回路や、低周波数帯域（例えば、２００Ｈｚ以下の周波数帯域）および高周波数帯域（例えば、２ｋＨｚ以上２０ｋＨｚ以下の周波数帯域）の周波数特性補正を行うＡＤＦ（Anti Distortion Filter）回路や、ディジタル信号処理回路をアナログ音声出力信号に対応するディジタルデータが通過する際に発生する高調波成分の乱れを補正するＢＢＥ（登録商標）回路などを備えている。
【００１６】
コントローラ１９は、このディスク再生装置１０全体を制御するマイクロコンピュータとして構成されており、図示しないＭＰＵと、実行する制御プログラムを含む各種プログラム等のデータが予め記憶されるＲＯＭと、光ディスク２０から読み出したＴＯＣ（Table Of Contents）情報や各種フラグ等のデータを一時的に記憶するＲＡＭと、を備えている。
【００１７】
図２は、第１実施形態の動作フローチャートである。
コントローラ１９は、光ディスク２０が挿入されると（ステップＳ１）、駆動部１５を制御して再生部１８により光ディスク２０に記録されたＴＯＣ情報（識別情報）を読み出す。
この状況において、再生部１８のエラー訂正回路１８Ａは、入力されたＲＦ信号に対応するディジタルデータに対して行ったエラー訂正の回数などの処理状況をコントローラ１９に通知する。
【００１８】
この結果、コントローラ１９は、エラー訂正の回数などがコピーガードに起因するものであるか否かを判別し、光ディスク２０がコピーガードが施された光ディスクであるか否かを判別する（ステップＳ２）。
ステップＳ２の判別において、光ディスク２０がコピーガードが施された光ディスクである場合には、その旨を表示部１２に表示させるとともに（ステップＳ３）、再生部１８にその旨を通知し、音質補正回路１８Ｂにより、図示しないＤ／Ａコンバータにより得られたアナログ音声信号の音質補正を行わせてアナログ音声出力信号を出力し（ステップＳ４）、ＣＤ再生を行うこととなる（ステップＳ５）。
【００１９】
ここで、具体的な音質補正処理について説明する。
図３は、同一の曲を光ディスクに記録した場合のコピーガード処理の有無による周波数特性劣化の説明図である。
コピーガード処理を施さないＣＤ（光ディスク）の場合に、図３に実線で示すような周波数特性を有している場合、記録データ間に細かいエラー領域を全体的に形成するコピーガード処理を施したＣＤの周波数特性は、図３に波線で示すように、２００Ｈｚ以下の周波数帯域（低周波数帯域）および２ｋＨｚ以上２０ｋＨｚ以下の周波数帯域（高周波数帯域）において最大で５ｄＢ程度の劣化が起きているのがわかる。
【００２０】
図４は、音質補正回路としてのＡＤＦ回路の補正周波数特性の説明図である。
ＡＤＦ回路の補正特性を図３に対応して、図４に示すようなもの（図３の逆特性）とすると、図３に示したコピーガード処理を施したＣＤの周波数特性をコピーガード処理を施さないＣＤの周波数特性に近づけることができる。
一方、ステップＳ２の判別において、光ディスク２０がコピーガードが施されていない通常の光ディスクである場合には、図示しないＤ／Ａコンバータにより得られたアナログ音声信号をアナログ音声出力信号として出力し、ＣＤ再生を行うこととなる（ステップＳ５）。
【００２１】
以上の説明のように、本第１実施形態によれば、コピーガードが施されている光ディスク２０であると判別した場合には、自動的に音質補正回路１８Ｂを用いて音質補正を行うので、コピーガードが施されている光ディスク２０の再生音の音質を向上して、コピーガードが施されていない光ディスクの場合と同等とすることができる。
【００２２】
［２］第２実施形態
図５は、第２実施形態のディスク再生装置の概要構成ブロック図である。
図５の第２実施形態が、図１の第１実施形態と異なる点は、音質補正回路を再生部の後段に設けるとともに、音質補正回路を通した後にアナログ音声出力信号として出力するか、音声補正回路を通さずにアナログ音声出力信号として出力するかを切り替える切替スイッチを設けた点である。
【００２３】
図５において、図１と同様の部分には同一の符号を付すものとする。
ディスク再生装置１０Ａは、ＣＤ等の光ディスク２０を再生する車載型ディスク再生装置であり、このディスク再生装置１０Ａは、第１実施形態と同様に、液晶表示装置を備える表示部１２やユーザが各種操作を行う操作部１３を有し、操作部１３を介して入力されたユーザの指示にしたがってディスク再生装置１０に挿入された光ディスク２０を再生し、この光ディスク２０に記録された音声を車両スピーカ（図示せず）から報音させるものである。
【００２４】
光ディスク２０は、図示を省略したローディング機構によってディスク再生装置１０内にローディングされ、ターンテーブル１４にクランプされる。このターンテーブル１４は、後述するコントローラ１９の制御下で駆動部１５によって回転駆動され、これによって、光ディスク２０が回転駆動される。
このターンテーブル１４の近傍には、光ピックアップ３０が配置され、この光ピックアップ３０は、光ディスク２０の情報記録面に向けてレーザ光を照射するレーザーダイオードと、このレーザ光の反射光を受光する受光素子と、この照射光及び反射光を集光するための対物レンズ等の光学系とを備え、レーザ光の反射光の受光レベルを示すＲＦ信号や、トラッキングエラー信号や、フォーカスエラー信号を出力する。
【００２５】
また、この光ピックアップ３０は、光ディスク２０の径方向に移動自在に支持され、コントローラ１９の制御の下、駆動部１５によって光ディスク２０の径方向の位置が制御（トラッキング制御を含む）されるとともに、対物レンズのフォーカス制御が行われる。なお、この光ピックアップ３０の構成は、従来のものと同様である。
再生部１８Ａは、光ピックアップ３０から出力されるＲＦ信号から光ディスク２０に記憶された情報を再生し、源アナログ音声出力信号として出力する。この源アナログ音声出力信号は、そのまま、あるいは、後述する音質補正回路により音質補正処理が施された後、図示しないアンプなどを介して増幅され、図示しないスピーカから音として出力される。
【００２６】
再生部１８Ａは、光ピックアップ３０から出力されるＲＦ信号に基づいてディジタルデータに変換する図示しないデコーダと、得られたディジタルデータのエラー訂正を行うエラー訂正回路１８Ａと、エラー訂正後のディジタルデータのディジタル／アナログ変換を行い源アナログ音声出力信号Ａ０として出力するＤ／Ａコンバータと、を備えている。
ここで、第１実施形態の場合と同様に、エラー訂正回路１８Ａは、エラー訂正を行った回数などの処理状況を生成し、コントローラ１９に通知する。
また、再生部１８Ａの後段には、コントローラ１９の制御下で、源アナログ音声出力信号Ａ０をそのまま出力するか、あるいは、後述する音質補正回路４１に出力するための切替スイッチ４０が設けられている。
【００２７】
音質補正回路４１は、第１実施形態と同様に、イコライザ回路、ＡＤＦ（Anti Distortion Filter）回路あるいはＢＢＥ（登録商標）回路などを備えている。
コントローラ１９は、第１実施形態と同様に、このディスク再生装置１０全体を制御するマイクロコンピュータとして構成されており、さらに、切替スイッチ４０を制御するための切替制御信号ＳSWを切替スイッチ４０に出力する。
【００２８】
図６は、第２実施形態の動作フローチャートである。
コントローラ１９は、光ディスク２０が挿入されると（ステップＳ１１）、駆動部１５を制御して再生部１８により光ディスク２０に記録されたＴＯＣ情報（識別情報）を読み出す。
この状況において、再生部１８のエラー訂正回路１８Ａは、入力されたＲＦ信号に対応するディジタルデータに対して行ったエラー訂正の回数などの処理状況をコントローラ１９に通知する。
【００２９】
この結果、コントローラ１９は、エラー訂正の回数などがコピーガードに起因するものであるか否かを判別し、光ディスク２０がコピーガードが施された光ディスクであるか否かを判別する（ステップＳ１２）。
ステップＳ１２の判別において、光ディスク２０がコピーガードが施された光ディスクである場合には、その旨を表示部１２に表示させる（ステップＳ１３）。
これと並行して、コントローラ１９は、切替スイッチ４０に切替制御信号ＳSWを出力して、切替スイッチ４０を音質補正回路４１側に切り替える（ステップＳ１４；Ｙｅｓ）。
【００３０】
この結果、音質補正回路４１は、第１実施形態と同様に、再生部１８の図示しないＤ／Ａコンバータにより出力された源アナログ音声信号Ａ０の音質補正を行ってアナログ音声出力信号Ａ1 を出力する（ステップＳ１５）。
この結果、ディスク再生装置１０Ａは、ＣＤ再生を行うこととなる（ステップＳ１６）。
一方、ステップＳ１２の判別において、光ディスク２０がコピーガードが施されていない通常の光ディスクである場合には、コントローラ１９は、切替スイッチ４０に切替制御信号ＳSWを出力して、切替スイッチ４０を音質補正回路４１側ではない側に切り替え（ステップＳ１４；Ｎｏ）、図示しないＤ／Ａコンバータにより得られたアナログ音声信号Ａ0をそのままアナログ音声出力信号として出力し、ＣＤ再生を行うこととなる（ステップＳ１６）。
【００３１】
以上の説明のように、本第２実施形態によれば、コピーガードが施されている光ディスク２０であると判別した場合には、切替スイッチ４０を自動的に音質補正回路４１側に切り替え、音質補正回路４１を用いて音質補正を行うので、コピーガードが施されている光ディスク２０の再生音の音質を向上して、コピーガードが施されていない光ディスクの場合と同等とすることができる。
【００３２】
［３］実施形態の変形例
上述した実施形態は、あくまで本発明の一態様に過ぎず、本発明の範囲内で任意に変形が可能である。
以上の説明では、コピーガードが施されている光ディスクが再生された場合には、自動的に音質補正を行う構成を採っていたが、第２実施形態における切替スイッチ４０をマニュアルスイッチとし、表示部１２にコピーガードが施されている光ディスクを再生している旨をユーザに通知し、好みによりマニュアル切替部として機能する切替スイッチ４０を切り替えてもらうように構成することも可能である。
【００３３】
以上の説明においては、車載型ディスク再生装置に本発明を適用する場合について述べたが、車載以外のディスク再生装置に適用してもよい。
【００３４】
以上の説明においては、コピーガードが施されている光ディスクの音質補正の制御プログラムをコントローラのＲＯＭ内に記憶しておく場合について述べたが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク（電気通信回線）を介して配信サーバなどからダウンロードできるようにしてもよい。
【図面の簡単な説明】
【００３５】
【図１】第１実施形態のディスク再生装置の概要構成ブロック図である。
【図２】第１実施形態の動作フローチャートである。
【図３】同一の曲を光ディスクに記録した場合のコピーガード処理の有無による周波数特性劣化の説明図である。
【図４】音質補正回路としてのＡＤＦ回路の補正周波数特性の説明図である。
【図５】第２実施形態のディスク再生装置の概要構成ブロック図である。
【図６】第２実施形態の動作フローチャートである。
【符号の説明】
【００３６】
１０、１０Ａ  ディスク再生装置
１２  表示部
１３  操作部
１５  駆動部
１８  再生部
１８Ａ  エラー訂正回路（コピーガード判別部）
１８Ｂ  音質補正回路（音質補正部）
１９  コントローラ（コピーガード判別部）
２０  光ディスク
３０  光ピックアップ
４０  切替スイッチ（切替部、マニュアル切替部）
４１  音質補正回路（音質補正部）
【図１】
2007272983.tif 000003
【図２】
2007272983.tif 000004
【図３】
2007272983.tif 000005
【図４】
2007272983.tif 000006
【図５】
2007272983.tif 000007
【図６】
2007272983.tif 000008